(57)【要約】  装置全体をコンパクトにすることができるとともに、操作者が片手で確実に糸通しを行うことができるオーバロックミシンの糸通し装置を提供する。  上下に移動し、軸芯を中心軸として回転することが可能に支持されている糸通し軸と、糸通し軸の下端部に固着され、縫針の針穴に挿通することが可能な鉤部と、該鉤部を針穴に誘導する第１のガイド部とを有する糸通しフックと、糸通し軸の下降限界点近傍で鉤部まで上糸を誘導する糸誘導部材とを有し、糸通し軸の下降限界点近傍で鉤部が縫針の針穴に挿通するよう糸通しフックを所定角度回動させる。糸通しフック及び糸誘導部材を互いに反対方向に回転させ、糸通し軸の下降限界点近傍で糸引っ掛かり部が縫針の位置を越えて縫針と交差するよう糸誘導部材を所定角度回動させる。糸通し軸は、複数の縫針の針穴間の相対的な位置関係に合わせて移動する。
2013125120.tif 000002
【特許請求の範囲】
【請求項１】
装着されている複数の縫針を一括して上下に移動させる針棒に近接し、該針棒の上下動方向と略平行に移動可能であり、前記針棒の上下動方向を回転軸として回転することが可能に支持されている糸通し軸と、
該糸通し軸の下端部に固着され、縫針の針穴に挿通することが可能な鉤部と、該鉤部を針穴に誘導する第１のガイド部とを有する糸通しフックと、
前記糸通し軸の下降限界点近傍で前記鉤部が縫針の針穴に挿通するよう前記糸通しフックを所定角度回動させる第１の回動機構と、
上糸を引っ掛ける糸引っ掛かり部、及び該糸引っ掛かり部に引っ掛けた上糸を縫針の針穴方向へ誘導する第２のガイド部を有し、前記糸通し軸の下降限界点近傍で前記鉤部まで上糸を誘導する糸誘導部材と、
前記糸通し軸の下降限界点近傍で前記糸引っ掛かり部が縫針の位置を越えて縫針と交差するよう前記糸誘導部材を所定角度回動させる第２の回動機構と
を備え、
前記第１の回動機構及び前記第２の回動機構は、前記糸通しフック及び前記糸誘導部材を互いに反対方向に回動させ、
前記糸通し軸は、複数の縫針の針穴間の相対的な位置関係に合わせて移動することを特徴とするオーバロックミシンの糸通し装置。
【請求項２】
前記糸通し軸を支持してオーバロックミシン本体に固着する支持部材に、前記糸通し軸の上部に備える第１のカム軸を嵌合する第１のカム穴及び前記糸通し軸の下部に備える第２のカム軸を嵌合する第２のカム穴で構成された穴カム機構を有し、
前記第１のカム軸の嵌合位置及び前記第２のカム軸の嵌合位置を移動させる操作部材の操作に応じて、前記糸通し軸を移動させることを特徴とする請求項１に記載のオーバロックミシンの糸通し装置。
【請求項３】
前記糸通し軸に外嵌又は内嵌されて前記支持部材に固着されており、第３のカム穴及び第４のカム穴を有する糸通し案内部材を有し、
前記第１の回動機構は、前記第３のカム穴と、前記糸通し軸に設けてある、前記第３のカム穴に嵌合する第３のカム軸とで構成され、
前記第２の回動機構は、前記第４のカム穴と、前記糸誘導部材に設けてある、前記第４のカム穴に嵌合する第４のカム軸とで構成され、
前記第３のカム穴の傾斜方向と、前記第４のカム穴の傾斜方向とは反対にしてあり、
前記糸通しフックと前記糸誘導部材との間に、前記糸通しフックと前記糸誘導部材とを近接させるよう付勢する第１の付勢部材を備えることを特徴とする請求項１又は２に記載のオーバロックミシンの糸通し装置。
【請求項４】
前記糸通し軸を上下に移動させる操作体を備えることを特徴とする請求項１乃至３のいずれか一項に記載のオーバロックミシンの糸通し装置。
【請求項５】
前記操作体は、
前記糸通し案内部材に連結され、前記糸通し案内部材を上下動させる基材部と、
該基材部との間で上糸を挟持する上糸挟持部と、
該上糸挟持部を上方へ付勢する第２の付勢部材と
を備え、
前記上糸挟持部を押し下げた場合、前記基材部と前記上糸挟持部との間に上糸の径より小さい隙間が生じることを特徴とする請求項４に記載のオーバロックミシンの糸通し装置。
【発明の詳細な説明】
【技術分野】
【０００１】
本発明は、針棒に近接する１本の糸通し軸を上下動及び回転させることにより、針棒に装着された複数本の縫針の針穴へそれぞれ糸通しを行うことができるオーバロックミシンの糸通し装置に関する。
【背景技術】
【０００２】
従来、加工布を縫製する複数本の縫針を備え、面倒な複数本の縫針の針穴への糸通しを容易に行うことができる糸通し装置を装備したオーバロックミシンが開発されている。例えば、特許文献１には、針棒が、布送り方向に対して斜め方向に上下動可能に支持されており、針棒に取り付けられた縫針の針穴近傍に張り出された糸を糸通しフックで捕捉して、糸を補足した糸通しフックを縫針の針穴内に引き込むように移動させて糸通しを行う糸通し装置が開示されている。【０００３】
複数本の縫針を備えるオーバロックミシンでは、それぞれの縫針の針穴の高さが相違する。特許文献１に開示されている糸通し装置では、糸通し軸は、縫針が取り付けられた針棒の上下動方向に対して傾斜するよう取り付けられ、糸通し軸を回転させることにより、糸通しフックを縫針の針穴に対して近接又は離間するように移動させて、糸を捕捉した糸通しフックが、それぞれの縫針の針穴を通過することができるようにしている。
【先行技術文献】
【特許文献】
【０００４】
【特許文献１】特許第３７３７５８４号公報
【発明の概要】
【発明が解決しようとする課題】
【０００５】
しかし、特許文献１では、糸通し軸自体を縫針が取り付けられた針棒の上下動方向に対して傾斜するように取り付けて回転させることにより、糸通しフックを縫針の針穴に対して近接又は離間するように移動させるタイミングと糸通し軸を上下動させるタイミングとを精緻に制御する必要がある。したがって、部品点数が増え、装置全体として小型化することが困難になるとともに、低コスト化することも困難になるという問題点があった。【０００６】
本発明は斯かる事情に鑑みてなされたものであり、装置全体をコンパクトにすることができるとともに、操作者が片手で確実に糸通しを行うことができるオーバロックミシンの糸通し装置を提供することを目的とする。
【課題を解決するための手段】
【０００７】
上記目的を達成するために第１発明に係るオーバロックミシンの糸通し装置は、装着されている複数の縫針を一括して上下に移動させる針棒に近接し、該針棒の上下動方向と略平行に移動可能であり、前記針棒の上下動方向を回転軸として回転することが可能に支持されている糸通し軸と、該糸通し軸の下端部に固着され、縫針の針穴に挿通することが可能な鉤部と、該鉤部を針穴に誘導する第１のガイド部とを有する糸通しフックと、前記糸通し軸の下降限界点近傍で前記鉤部が縫針の針穴に挿通するよう前記糸通しフックを所定角度回動させる第１の回動機構と、上糸を引っ掛ける糸引っ掛かり部、及び該糸引っ掛かり部に引っ掛けた上糸を縫針の針穴方向へ誘導する第２のガイド部を有し、前記糸通し軸の下降限界点近傍で前記鉤部まで上糸を誘導する糸誘導部材と、前記糸通し軸の下降限界点近傍で前記糸引っ掛かり部が縫針の位置を越えて縫針と交差するよう前記糸誘導部材を所定角度回動させる第２の回動機構とを備え、前記第１の回動機構及び前記第２の回動機構は、前記糸通しフック及び前記糸誘導部材を互いに反対方向に回動させ、前記糸通し軸は、複数の縫針の針穴間の相対的な位置関係に合わせて移動することを特徴とする。【０００８】
第１発明では、装着されている複数の縫針を一括して上下に移動させる針棒に近接し、針棒の上下動方向と略平行に移動することが可能であり、上下動方向を回転軸として回転することが可能に支持されている糸通し軸を１本備えている。糸通し軸の下端部には、縫針の針穴に挿通することが可能な鉤部と、該鉤部を針穴に誘導する第１のガイド部とを有する糸通しフックが固着されている。第１の回動機構は、糸通し軸の下降限界点近傍で鉤部が縫針の針穴に挿通するよう糸通しフックを所定角度回動させる。上糸を引っ掛ける糸引っ掛かり部、及び該糸引っ掛かり部に引っ掛けた上糸を縫針の針穴方向へ誘導する第２のガイド部を有し、糸通し軸の下降限界点近傍で鉤部まで上糸を誘導する糸誘導部材を備え、第２の回動機構は、糸通し軸の下降限界点近傍で糸引っ掛かり部が縫針の位置を越えて縫針と交差するよう糸誘導部材を所定角度回動させる。第１の回動機構及び第２の回動機構は、糸通しフック及び糸誘導部材を互いに反対方向に回動させ、糸通し軸は、複数の縫針の針穴間の相対的な位置関係に合わせて移動する。これにより、糸誘導部材の糸引っ掛かり部に上糸を引っ掛けておき、糸通しフックの鉤部がいずれかの針穴に挿通された後、糸誘導部材により誘導された上糸を鉤部へ引っ掛ける。鉤部がいずれかの針穴から抜け出るのに伴って、上糸が針穴を通過することにより糸通しを行う。したがって、１本の糸通し軸の上下動に応じて確実に糸通しを行うことができ、装置全体をコンパクトにすることができるとともに、低コスト化を図ることが可能となる。また、糸通し軸は、複数の縫針の針穴間の相対的な位置関係に合わせて移動するので、針穴の高さが縫針ごとに相違する場合であっても、確実に糸通しを行うことが可能となる。【０００９】
また、第２発明に係るオーバロックミシンの糸通し装置は、第１発明において、前記糸通し軸を支持してオーバロックミシン本体に固着する支持部材に、前記糸通し軸の上部に備える第１のカム軸を嵌合する第１のカム穴及び前記糸通し軸の下部に備える第２のカム軸を嵌合する第２のカム穴で構成された穴カム機構を有し、前記第１のカム軸の嵌合位置及び前記第２のカム軸の嵌合位置を移動させる操作部材の操作に応じて、前記糸通し軸を移動させることを特徴とする。【００１０】
第２発明では、糸通し軸を支持してオーバロックミシン本体に固着する支持部材に、糸通し軸の上部に備える第１のカム軸を嵌合する第１のカム穴及び糸通し軸の下部に備える第２のカム軸を嵌合する第２のカム穴で構成された穴カム機構を有している。第１のカム軸の嵌合位置及び第２のカム軸の嵌合位置を移動させる操作部材の操作に応じて、第１のカム軸の嵌合位置及び第２のカム軸の嵌合位置を移動させることにより、糸通し軸自体を針棒の上下動方向に対して傾斜して移動させることなく、糸通しフックの鉤部を縫針の針穴の位置に合わせて確実に糸通しを行うことが可能となる。【００１１】
また、第３発明に係るオーバロックミシンの糸通し装置は、第１又は第２発明において、前記糸通し軸に外嵌又は内嵌されて前記支持部材に固着されており、第３のカム穴及び第４のカム穴を有する糸通し案内部材を有し、前記第１の回動機構は、前記第３のカム穴と、前記糸通し軸に設けてある、前記第３のカム穴に嵌合する第３のカム軸とで構成され、前記第２の回動機構は、前記第４のカム穴と、前記糸誘導部材に設けてある、前記第４のカム穴に嵌合する第４のカム軸とで構成され、前記第３のカム穴の傾斜方向と、前記第４のカム穴の傾斜方向とは反対にしてあり、前記糸通しフックと前記糸誘導部材との間に、前記糸通しフックと前記糸誘導部材とを近接させるよう付勢する第１の付勢部材を備えることを特徴とする。【００１２】
第３発明では、糸通し軸に外嵌又は内嵌されて支持部材に固着されており、第３のカム穴及び第４のカム穴を有する糸通し案内部材を有している。第１の回動機構は、第３のカム穴と、糸通し軸に設けてある、第３のカム穴に嵌合する第３のカム軸とで構成され、第２の回動機構は、第４のカム穴と、糸誘導部材に設けてある、第４のカム穴に嵌合する第４のカム軸とで構成されている。第３のカム穴の傾斜方向と、第４のカム穴の傾斜方向とは反対にしてあり、第１の回動機構が糸通し軸を中心として糸通しフックを時計回り（反時計回り）に回動させる場合、第２の回動機構は糸通し軸を中心として糸誘導部材を反時計回り（時計回り）に回動させる。これにより、１本の糸通し軸の上下動により、上糸を誘導する糸引っ掛かり部（糸誘導部材）と、針穴へ糸通しを行う鉤部（糸通しフック）との相対的な位置関係を制御することができ、確実に糸通しを行うことが可能となる。したがって、装置全体をコンパクトにすることができるとともに、低コスト化を図ることが可能となる。【００１３】
また、第４発明に係るミシンの糸通し装置は、第１乃至第３発明のいずれか１つにおいて、前記糸通し軸を上下に移動させる操作体を備えることを特徴とする。【００１４】
第４発明では、糸通し軸を上下に移動させる操作体を備える。操作者は、操作体を上下動することにより糸通し軸を上下動及び回転させることができ、片手で糸通しを行うことが可能となる。【００１５】
また、第５発明に係るミシンの糸通し装置は、第４発明において、前記操作体は、前記糸通し案内部材に連結され、前記糸通し案内部材を上下動させる基材部と、該基材部との間で上糸を挟持する上糸挟持部と、該上糸挟持部を上方へ付勢する第２の付勢部材とを備え、前記上糸挟持部を押し下げた場合、前記基材部と前記上糸挟持部との間に上糸の径より小さい隙間が生じることを特徴とする。【００１６】
第５発明では、操作体の上糸挟持部を第２の付勢部材の付勢力に抗して押し下げた場合に、基材部と上糸挟持部との間に上糸の径より小さい隙間が形成されているので、上糸を適度なテンションで保持することができ、糸誘導部材に掛かっている上糸を、確実に糸通しフックの鉤部で引っ掛けることが可能となる。
【発明の効果】
【００１７】
本発明によれば、糸誘導部材の糸引っ掛かり部に上糸を引っ掛けておき、糸通しフックの鉤部が針穴に挿通された後、糸誘導部材により誘導された上糸を鉤部へ引っ掛ける。鉤部が針穴から抜け出るのに伴って、上糸が針穴を通過することにより糸通しを行う。したがって、１本の糸通し軸の上下動に応じて確実に糸通しを行うことができ、装置全体をコンパクトにすることができるとともに、低コスト化を図ることが可能となる。また、糸通し軸は、複数の縫針の針穴間の相対的な位置関係に合わせて移動するので、針穴の高さが縫針ごとに相違する場合であっても、確実に糸通しを行うことが可能となる。
【図面の簡単な説明】
【００１８】
【図１】本発明の実施の形態に係るオーバロックミシンの糸通し装置の全体構成を示す前方から見た正面図である。
【図２】本発明の実施の形態に係るオーバロックミシンの糸通し装置の糸通しフックの構成を示す平面図及び正面図である。
【図３】本発明の実施の形態に係るオーバロックミシンの糸通し装置の糸誘導部材の構成を示す平面図及び正面図である。
【図４】本発明の実施の形態に係るオーバロックミシンの糸通し装置の糸通し軸の位置を調整する機構を説明するための斜視図である。
【図５】本発明の実施の形態に係る糸通し装置の第１のカム軸（第２のカム軸）の移動距離及び移動方向と針穴間の相対的な位置関係とを示す模式図である。
【図６】本発明の実施の形態に係るオーバロックミシンの糸通し装置の円筒カム機構について説明するための断面図である。
【図７】本発明の実施の形態に係るオーバロックミシンの糸通し装置の挙動を説明する正面図、模式図及び平面図である。
【図８】本発明の実施の形態に係るオーバロックミシンの糸通し装置の挙動を説明する正面図、模式図及び平面図である。
【図９】本発明の実施の形態に係るオーバロックミシンの糸通し装置の挙動を説明する正面図、模式図及び平面図である。
【図１０】本発明の実施の形態に係るオーバロックミシンの糸通し装置の操作体の取り付け状態を示す模式図である。
【図１１】本発明の実施の形態に係るオーバロックミシンの糸通し装置の操作体の構成を示す断面図である。
【発明を実施するための形態】
【００１９】
以下に、本発明をその実施の形態を示す図面に基づいて説明する。以下の説明では、オーバロックミシンを操作する操作者から見た向きを前後左右として説明する。図１は、本発明の実施の形態に係るオーバロックミシンの糸通し装置の全体構成を示す前方から見た正面図である。
【００２０】
図１に示すように、本実施の形態に係る糸通し装置は、二本の縫針１４１ａ、１４１ｂを装着する針棒１５に近接して配置されている糸通し軸４と、糸通し軸４の下端部に固着された糸通しフック５と、糸通し軸４の下降限界点近傍で糸通しフック５を所定角度回動させる第１の回動機構（後述）と、糸通し軸４の下降限界点近傍で糸通しフック５まで上糸を誘導する糸誘導部材６と、糸通し軸４の下降限界点近傍で糸誘導部材６を所定角度回動させる第２の回動機構（後述）と、糸通し軸４を針棒１５の上下動方向と略平行に移動することが可能に支持している支持部材２とで構成されている。なお、針棒１５の上下動には、図示しないステッピングモータ等の駆動機構を用いれば良く、駆動機構は特に限定されるものではない。
【００２１】
糸通し軸４の下端部に固着されている糸通しフック５は、糸通し軸４を中心に、糸通し軸４とは独立して回動することが可能となっている。糸通しフック５の上部には、上糸を糸通しフック５へ誘導する糸誘導部材６が、糸通し軸４を中心に、糸通し軸４とは独立して回動することが可能に装着されている。
【００２２】
図２は、本発明の実施の形態に係るオーバロックミシンの糸通し装置の糸通しフック５の構成を示す平面図及び正面図である。図２（ａ）は、本発明の実施の形態に係るミシンの糸通し装置の糸通しフック５の平面図を、図２（ｂ）は正面図を、それぞれ示している。図２（ａ）に示すように、糸通しフック５は、二股に分かれた第１のガイド部５１と、第１のガイド部５１の中央部分に設けられている鉤部５２とで構成されている。第１のガイド部５１は、糸通しフック５の回動に伴って鉤部５２を縫針１４１ａ、１４１ｂの針穴１４２ａ、１４２ｂに誘導する。第一のガイド部５１により誘導された鉤部５２が縫針１４１ａ又は縫針１４１ｂの針穴１４２ａ又は針穴１４２ｂに出し入れされ、鉤部５２で針穴１４２ａ又は針穴１４２ｂへ糸通しを行う。
【００２３】
図３は、本発明の実施の形態に係るオーバロックミシンの糸通し装置の糸誘導部材６の構成を示す平面図及び正面図である。図３（ａ）は、本発明の実施の形態に係るミシンの糸通し装置の糸誘導部材６の正面図を、図３（ｂ）は平面図を、それぞれ示している。糸誘導部材６は、糸通し軸４の下降限界点近傍で糸通しフック５の鉤部５２まで上糸を誘導する。糸誘導部材６は、図３（ａ）に示すように、二股に分かれた、上糸を引っ掛ける糸引っ掛かり部６２と、糸引っ掛かり部６２に引っ掛けた上糸を縫針１４１ａ又は縫針１４１ｂの針穴１４２ａ又は針穴１４２ｂ方向へ誘導する第２のガイド部６１とで構成されている。糸誘導部材６の回転に伴って、糸引っ掛かり部６２が縫針１４１ａ又は縫針１４１ｂの針穴１４２ａ又は針穴１４２ｂ方向へ接近し、糸引っ掛かり部６２に引っ掛けられている上糸を、糸通しフック５の鉤部５２が引っ掛けることが可能な位置まで誘導する。
【００２４】
また、図１に示すように二本の縫針１４１ａ、１４１ｂの針穴１４２ａ、１４２ｂ間の相対的な位置関係に合わせて、糸通し軸４の位置を調整する位置調整レバー（操作部材）７を備えている。位置調整レバー７は、支持部材２に揺動することが可能に固着してあり、位置調整レバー７の係合部と係合するカム軸支持部材の移動により、糸通しを行う縫針１４１ａの針穴１４２ａ又は縫針１４１ｂの針穴１４２ｂの位置に応じて、糸通し軸４の位置を調整する。
【００２５】
図４は、本発明の実施の形態に係るオーバロックミシンの糸通し装置の糸通し軸４の位置を調整する機構を説明するための斜視図である。図４に示すように、位置調整レバー７は上部を湾曲させてあり、湾曲させた部分の先端にカム軸支持部材２ａと係合する係合部７１を備えている。
【００２６】
係合部７１は、カム軸支持部材２ａの係合穴２４に係合し、位置調整レバー７の揺動に応じて、支持部材２の第１のカム穴２１及び第２のカム穴２２に沿ってカム軸支持部材２ａが移動する。具体的には、支持部材２の上部及び下部に、第１のカム穴２１、第２のカム穴２２が設けられており、糸通し軸４の上部に備える第１のカム軸４３を嵌合する第１のカム穴２１、及び糸通し軸４の下部に備える第２のカム軸４４を嵌合する第２のカム穴２２で穴カム機構を構成している。第１のカム軸４３、第２のカム軸４４は、カム軸支持部材２ａと支持部材２とを連結している。位置調整レバー７を揺動させることにより、カム軸支持部材２ａが移動し、カム軸支持部材２ａを連結している第１のカム軸４３、第２のカム軸４４の嵌合位置が移動する。第１のカム軸４３、第２のカム軸４４の嵌合位置が移動することにより、糸通しを行う縫針１４１ａ、１４１ｂの針穴１４２ａ、１４２ｂの位置に合わせて糸通し軸４を移動させることができる。
【００２７】
例えば位置調整レバー７を右側へ揺動させた場合、カム軸支持部材２ａも右方向へ移動するので、第１のカム軸４３、第２のカム軸４４は第１のカム穴２１、第２のカム穴２２に沿って右下方向へ移動する。第１のカム軸４３、第２のカム軸４４の移動距離及び移動方向、すなわち第１のカム穴２１、第２のカム穴２２の長さ及び傾斜方向を、縫針１４１ａ、１４１ｂの針穴１４２ａ、１４２ｂ間の距離及び方向に一致させておくことで、糸通しを行う縫針１４１ａ、１４１ｂの針穴１４２ａ、１４２ｂ間の相対的な位置関係に合わせて糸通し軸４を移動させることができる。
【００２８】
図５は、本発明の実施の形態に係る糸通し装置の第１のカム軸４３（第２のカム軸４４）の移動距離及び移動方向と針穴１４２ａ、１４２ｂ間の相対的な位置関係とを示す模式図である。図５（ａ）に示すように、縫針１４１ａと縫針１４１ｂとは、高さ方向にΔＺ、布送り方向に直交する方向にΔＸ、それぞれ位置がずれている。この場合、針穴１４２ｂへ糸通しを行った後、糸通し軸４を上方へΔＺ、布送り方向に直交する方向（図５の左方向）にΔＸだけ移動させることにより、あるいは針穴１４２ａへ糸通しを行った後、糸通し軸４を下方へΔＺ、布送り方向に直交する方向（図５の右方向）にΔＸだけ移動させることにより、位置の相違する針穴１４２ａ、１４２ｂへ交互に糸通しを行うことができる。
【００２９】
例えば、図５（ｂ）に示すように、始めは第１のカム軸４３（第２のカム軸４４）の嵌合位置を針穴１４２ｂへ糸通しを行うために、第１のカム穴２１（第２のカム穴２２）の位置４３ｂ（４４ｂ）に移動させてあったとする。針穴１４２ｂへ糸通しを行った後、位置調整レバー７を左方向に揺動させることにより、第１のカム軸４３（第２のカム軸４４）の嵌合位置を第１のカム穴２１（第２のカム穴２２）に沿って左上方向に移動させる。
【００３０】
そして、第１のカム軸４３（第２のカム軸４４）の嵌合位置を、縫針１４１ｂの針穴１４２ｂと縫針１４１ａの針穴１４２ａとの位置ずれ分、すなわち高さ方向にΔＺ、布送り方向に直交する方向にΔＸ、それぞれ移動させて第１のカム穴２１（第２のカム穴２２）の位置４３ａ（４４ａ）に移動させることにより、縫針１４１ｂの針穴１４２ｂへ糸通しを行うことが可能な位置に移動させてあった糸通し軸４を、縫針１４１ａの針穴１４２ａへ糸通しを行うことが可能な位置へと移動させることができ、複数の縫針１４１ａ、１４１ｂに対して交互に糸通しを行うことが可能となる。
【００３１】
図６は、本発明の実施の形態に係るオーバロックミシンの糸通し装置の円筒カム機構について説明するための断面図である。図６に示すように、本実施の形態に係る糸通し装置は、円筒状の第１の糸通し案内部１０と円筒状の第２の糸通し案内部１１とで構成される円筒カム機構（糸通し案内部材）を有している。第１の糸通し案内部１０及び第２の糸通し案内部１１は、糸通し軸４に外嵌又は内嵌されており、近接して上下動する針棒を支持する針棒支持部１に連結されている支持部材２（図１）に固着されている。本実施の形態では、円筒カム機構を確実に機能させるべく、糸通し案内部を２つに分割して、それぞれを支持部材２へネジ止めした構成となっている。もちろん、糸通し案内部を分割せずに一体物として構成しても特に問題はない。
【００３２】
糸通し軸４には、第１の糸通し案内部１０に設けてある第３のカム穴１０１に嵌合する第３のカム軸４１が、糸通し軸４の周面から突出するように設けられている。第１の糸通し案内部１０及び第２の糸通し案内部１１が縫針１４１ａ、１４１ｂの下降（上昇）に連動して下降（上昇）する場合、第３のカム軸４１の嵌合位置が第３のカム穴１０１に沿って左上（右下）方向に移動して、糸通し軸４が上から見て時計回り（反時計回り）に所定角度回転するので、糸通し軸４の下端部に固着されている糸通しフック５も、上から見て糸通し軸４を中心として時計回り（反時計回り）に所定角度回動する（第１の回動機構）。
【００３３】
第２の糸通し案内部１１に設けてある第４のカム穴１１１に嵌合する第４のカム軸（図示せず）は、糸通し軸４の下端部（糸通しフック５の上部）に糸通し軸４とは独立して回動することが可能に装着されている糸誘導部材６に設けられている。第１の糸通し案内部１０及び第２の糸通し案内部１１が縫針１４１ａ、１４１ｂの下降（上昇）に連動して下降（上昇）する場合、第４のカム軸の嵌合位置が第４のカム穴１１１に沿って移動し、糸誘導部材６は糸通しフック５とは反対方向、すなわち上から見て糸通し軸４を中心として反時計回り（時計回り）に所定角度回動する（第２の回動機構）。このように、糸通しフック５と糸誘導部材６とが、１本の糸通し軸４の上下動に応じて互いに反対方向に回動して、互いに接近又は離隔することができるので、針穴１４２ａ、１４２ｂへの糸通し動作を糸通し軸４の上下動により制御することができる。
【００３４】
図７乃至図９は、本発明の実施の形態に係るオーバロックミシンの糸通し装置の挙動を説明する正面図、模式図及び平面図である。図７乃至図９は、針穴１４２ｂに糸通しする場合について説明している。
【００３５】
図７乃至図９に示すように、本発明の実施の形態に係るオーバロックミシンの糸通し装置は、糸通し軸４、第１の糸通し案内部１０及び第２の糸通し案内部１１を上下動させることが可能な操作体１７を備えている。操作体１７は、糸通し軸４を引き上げる方向に付勢されており、付勢力に抗して操作者が下方へ片手で押し下げることにより、糸通し軸４、第１の糸通し案内部１０及び第２の糸通し案内部１１を下降させることができる。
【００３６】
図１０は、本発明の実施の形態に係るオーバロックミシンの糸通し装置の操作体１７の取り付け状態を示す模式図であり、図１１は、本発明の実施の形態に係るオーバロックミシンの糸通し装置の操作体１７の構成を示す断面図である。図１０に示すように、操作体１７を構成する基材部１７１は、案内穴２６に沿って上下動する。基材部１７１は、糸通し案内部１０の図示しない突起部と嵌合する穴部１７２を有しており、糸通し案内部１０に連結されている。基材部１７１の上下動に伴って、基材部１７１と連結された糸通し案内部１０が上下動する。
【００３７】
また、図１１（ａ）は、本発明の実施の形態に係るオーバロックミシンの糸通し装置の操作していない状態の操作体１７を模式的に示す断面図であり、図１１（ｂ）は、本発明の実施の形態に係るオーバロックミシンの糸通し装置の操作している状態の操作体１７を模式的に示す断面図である。図１１（ａ）に示すように、基材部１７１に最下面を押しつけることができるように、基材部１７１との間で上糸を挟持する上糸挟持部１７３が、回転軸１７７を中心として回転することが可能に設けられている。
【００３８】
操作体１７は、上糸挟持部１７３を上方へ付勢する圧縮バネ（第２の付勢部材）１７５を備えており、操作体１７を操作していない場合、上糸挟持部１７３と基材部１７１との間に上糸を誘導することができる。上糸挟持部１７３の下面には、上糸支持皿１７４を設けてある。
【００３９】
図１１（ｂ）に示すように、糸誘導部材６に掛かっている上糸を上糸挟持部１７３と基材部１７１との間に誘導し、上糸挟持部１７３を圧縮バネ１７５の付勢力に抗して押し下げることにより、上糸は上糸挟持部１７３と基材部１７１との間に保持される。上糸挟持部１７３と基材部１７１との間に、上糸支持皿１７４を設けることにより隙間１７６が生じる。隙間１７６が、上糸の径より小さくなるように、上糸支持皿１７４を設けておくことにより、上糸を強く押しつけることなく保持することができる。したがって、上糸を適度なテンションで保持することができ、引っ張られる等の外力が上糸に作用した場合、例えば糸通しフック５の鉤部５２により上糸が引っ張られた場合には、引っ張られた分だけ上糸を引き出すことができる。したがって、確実な糸通しを行うことが可能となる。
【００４０】
図７に戻って、図７（ａ）は、初期時点での糸通しフック５と糸誘導部材６との位置関係を示す平面図を、図７（ｂ）は、初期時点での正面図及びカムの状態を示す模式図を、図７（ｃ）は、ストッパピンが下降してピン止めに接触した時点（糸通し軸４の下降限界点）での糸通しフック５と糸誘導部材６との位置関係を示す平面図を、図７（ｄ）は、ストッパピンが下降してピン止めに接触した時点（糸通し軸４の下降限界点）での正面図及びカムの状態を示す模式図を、図７（ｅ）は、第４のカム軸６３の嵌合位置が第４のカム穴１１１の右上端に到達した時点での糸通しフック５と糸誘導部材６との位置関係を示す平面図を、図７（ｆ）は、第４のカム軸６３の嵌合位置が第４のカム穴１１１の右上端に到達した時点での正面図及びカムの状態を示す模式図を、それぞれ示している。
【００４１】
図７（ａ）では、糸通し軸４は最上点に位置している。操作者が片手で操作体１７を下降させた場合、糸通し軸４及び第１の糸通し案内部１０及び第２の糸通し案内部１１は一体となって下降する。糸通し軸４は、図７（ｄ）に示すように、糸通し軸４は、ストッパピン２０がピン止め１２に接触する下降限界点まで下降する。糸通し軸４が、ストッパピン２０がピン止め１２に接触する下降限界点に到達するまでは、第３のカム軸４１及び第４のカム軸６３の嵌合位置が移動しないので、図７（ａ）及び（ｃ）に示すように、糸通しフック５及び糸誘導部材６は回動することがなく、相対的な位置関係は変動しない。
【００４２】
糸通し軸４は、図１に示すガイド穴２８に沿って移動する。ガイド穴２８は、糸通し軸４を鉛直方向に維持しながら平行移動させるので、例えば糸通し軸４の下降に伴い、図７（ｂ）に示すように、糸通し軸４は縫針１４１ａ、１４１ｂの針穴１４２ａ、１４２ｂへ近づく方向へ移動する。
【００４３】
操作者が片手で操作体１７をさらに下降させ、図７（ｆ）に示す位置、すなわち第３のカム軸４１の嵌合位置が第３のカム穴１０１の上方へと鉛直に移動した場合、糸通し軸４は回転することなく、図６に示す第１の糸通し案内部１０及び第２の糸通し案内部１１のみがさらに下降する。したがって、糸通しフック５は回動することがない。一方、第４のカム軸６３の嵌合位置は第４のカム穴１１１に沿って右上方向へ移動を開始し、図７（ｅ）に示すように、糸誘導部材６は上から見て糸通し軸４を中心として反時計回りに回動することにより、針棒１５に接近する方向へ移動する。第４のカム軸６３の嵌合位置が第４のカム穴１１１の右上端に到達した時点で、図７（ｅ）に示すように、糸誘導部材６の先端の糸引っ掛かり部６２が、上から見て縫針１４１ａ、１４１ｂを通過する位置まで回動するようにしてある。
【００４４】
図８（ａ）は、糸通しフック５が回動を開始する時点での糸通しフック５と糸誘導部材６との位置関係を示す平面図を、図８（ｂ）は、糸通しフック５が回動を開始する時点での正面図及びカムの状態を示す模式図を、図８（ｃ）は、操作体１７が最下点に到達した時点での糸通しフック５と糸誘導部材６との位置関係を示す平面図を、図８（ｄ）は、操作体１７が最下点に到達した時点での正面図及びカムの状態を示す模式図を、図８（ｅ）は、第３のカム軸４１の嵌合位置が第３のカム穴１０１に沿って下降した時点での糸通しフック５と糸誘導部材６との位置関係を示す平面図を、図８（ｆ）は、第３のカム軸４１の嵌合位置が第３のカム穴１０１に沿って下降した時点での正面図及びカムの状態を示す模式図を、それぞれ示している。
【００４５】
操作者が片手で操作体１７をさらに下降させた場合、図６に示す第１の糸通し案内部１０及び第２の糸通し案内部１１はさらに下降する。第３のカム軸４１の嵌合位置は、第３のカム穴１０１に沿って左上方向へ移動を開始する。第３のカム軸４１の嵌合位置が、第３のカム穴１０１に沿って左上方向へ移動することにより、図８（ｃ）に示すように、糸通しフック５は、上から見て糸通し軸４を中心として時計回りに回動して、糸通しフック５の鉤部５２が針穴１４２ｂへ挿通される。一方、第４のカム軸６３の嵌合位置は、図８（ｄ）に示すように操作体１７をさらに下降させた場合であっても、第４のカム穴１１１の右上端に到達したままであるので、図８（ｃ）に示すように、糸誘導部材６は回動することがない。なお、第３のカム軸４１の嵌合位置が、第３のカム穴１０１に沿って左上方向へ移動するので、糸通し軸４が上から見て時計回りに回転し、糸通し軸４の回転に伴ってストッパピン２０も時計回りに回転する。したがって、ピン止め１２はストッパピン２０が回転した場合であっても接触することができる大きさであれば良い。
【００４６】
本実施の形態では、第３のカム穴１０１の左上端に第３のカム軸４１の嵌合位置が到達する前に、第４のカム軸６３の嵌合位置が第４のカム穴１１１の右上端に到達するよう、第３のカム穴１０１及び第４のカム穴１１１の長さ及び傾斜角度が設定されている。このようにすることで、第４のカム軸６３の嵌合位置が第４のカム穴１１１の右上端に到達するまでは、糸誘導部材６のみが回動し、第４のカム軸６３の嵌合位置が第４のカム穴１１１の右上端に到達した後は、糸誘導部材６は回動することがなく、糸通しフック５のみを回動させることができる。ここで、糸誘導部材６を糸通しフック５へ近づけるよう付勢する第１の付勢部材、例えば圧縮バネ（図示せず）を備えることが好ましい。これにより、糸誘導部材６の糸引っ掛かり部６２を下方から糸通しフック５の鉤部５２へ接近させ、糸引っ掛かり部６２に引っ掛けてある上糸を圧縮バネの弾性力により鉤部５２へ確実に誘導することができるからである。もちろん、第１の付勢部材を備えずに、操作者が手動で操作体１７を引き上げても良い。このようにカム穴の長さ、傾斜角度を設定しておくことにより、糸通しフック５の回動と、糸誘導部材６の回動との動作タイミングを調整することができ、糸通しをより確実に行うことができる。
【００４７】
本実施の形態では、糸通しフック５の鉤部５２が針穴１４２ｂへ挿通される前に、糸誘導部材６は回動を終了し、操作体１７が最下点に到達した時点では、糸通しフック５の鉤部５２よりも糸誘導部材６が下方へ押し下げられた状態となる。この状態で、例えば操作者が操作体１７から手を離すと、圧縮バネの弾性力により、糸誘導部材６は押し上げられる。糸誘導部材６が押し上げられることにより、糸誘導部材６の糸引っ掛かり部６２に引っ掛けてある上糸を糸通しフック５の鉤部５２へ確実に誘導することができる。よって、図８（ｅ）及び（ｆ）に示すように、糸通しフック５と糸誘導部材６との水平方向の位置関係が変動することなく、圧縮バネの弾性力により糸誘導部材６のみが押し上げられ、糸誘導部材６の糸引っ掛かり部６２に引っ掛けられて糸通しフック５の鉤部５２まで誘導された上糸を、鉤部５２が確実に引っ掛けることができる。
【００４８】
図９（ａ）は、糸通しフック５の鉤部５２が針穴１４２ｂから抜け出た時点での糸通しフック５と糸誘導部材６との位置関係を示す平面図を、図９（ｂ）は、糸通しフック５の鉤部５２が針穴１４２ｂから抜け出た時点での正面図及びカムの状態を示す模式図を、図９（ｃ）は、ストッパピン２０が上昇してピン止め１２から離れた時点での正面図及びカムの状態を示す模式図を、図９（ｄ）は、ストッパピン２０が上昇してピン止め１２から離れた時点での糸通しフック５と糸誘導部材６との位置関係を示す平面図を、それぞれ示している。
【００４９】
操作者が片手で操作体１７を上昇させた場合、図９（ｂ）に示すように、第３のカム軸４１の嵌合位置は第３のカム穴１０１に沿って右下端まで移動することにより、図９（ａ）に示すように、糸通しフック５は上から見て糸通し軸４を中心として反時計回りに回動して、上糸を引っ掛けている糸通しフック５の鉤部５２が針穴１４２ｂから抜け出る。これに伴って、上糸が針穴１４２ｂを通過することにより、糸通しを行う。一方、第４のカム軸６３の嵌合位置も第４のカム穴１１１に沿って左下端へと移動することにより、図９（ａ）に示すように糸誘導部材６は上から見て糸通し軸４を中心として時計回りに回転する。
【００５０】
操作者が片手で操作体１７をさらに上昇させた場合、ストッパピン２０はピン止め１２から離れ、糸通し軸４及び第１の糸通し案内部１０及び第２の糸通し案内部１１は一体となって上昇する。第３のカム軸４１及び第４のカム軸６３の嵌合位置は移動しないので、糸通しフック５及び糸誘導部材６は回動することがない。糸通し軸４は、図１に示すガイド穴２８に沿って移動する。ガイド穴２８は、糸通し軸４を鉛直方向に維持しながら平行移動させるので、例えば糸通し軸４の上昇に伴い、図９（ｄ）に示すように、糸通し軸４は縫針１４１ａ、１４１ｂの針穴１４２ａ、１４２ｂから離れる方向へ移動し、針穴１４２ｂへの糸通しを完了する。
【００５１】
以上のように本実施の形態によれば、糸誘導部材６の糸引っ掛かり部６２に上糸を引っ掛けておき、糸通しフック５の鉤部５２がいずれかの針穴に挿通された後、糸誘導部材６により誘導された上糸を鉤部５２へ引っ掛ける。鉤部５２がいずれかの針穴から抜け出るのに伴って、上糸が針穴を通過することにより、糸通しを行う。したがって、１本の糸通し軸４の上下動に応じて確実に糸通しを行うことができ、装置全体をコンパクト化することができるとともに、低コスト化を図ることが可能となる。また、糸通し軸４は、複数の縫針の針穴の相対的な位置関係に合わせて移動するので、針穴の高さが縫針ごとに相違する場合であっても、確実に糸通しを行うことが可能となる。
【００５２】
その他、本願発明の趣旨を逸脱しない範囲において上述した実施の形態に種々の変更を付加した形態で実施することが可能である。
【符号の説明】
【００５３】
２  支持部材
４  糸通し軸
５  糸通しフック
６  糸誘導部材
７  位置調整レバー（操作部材）
１０  第１の糸通し案内部（糸通し案内部材）
１１  第２の糸通し案内部（糸通し案内部材）
１２  ピン止め
１５  針棒
１７  操作体
２０  ストッパピン  
２１  第１のカム穴
２２  第２のカム穴
４１  第３のカム軸
４３  第１のカム軸
４４  第２のカム軸
５１  第１のガイド部
５２  鉤部
６１  第２のガイド部
６２  糸引っ掛かり部
６３  第４のカム軸
１０１  第３のカム穴
１１１  第４のカム穴
１４１ａ、１４１ｂ  縫針
１４２ａ、１４２ｂ  針穴
１７１  基材部
１７３  上糸挟持部
１７５  圧縮バネ（第２の付勢部材）
【図１】
2013125120.tif 000003
【図２】
2013125120.tif 000004
【図３】
2013125120.tif 000005
【図４】
2013125120.tif 000006
【図５】
2013125120.tif 000007
【図６】
2013125120.tif 000008
【図７】
2013125120.tif 000009
【図８】
2013125120.tif 000010
【図９】
2013125120.tif 000011
【図１０】
2013125120.tif 000012
【図１１】
2013125120.tif 000013
【手続補正書】
【提出日】平成25年6月11日(2013.6.11)
【手続補正１】
【補正対象書類名】明細書
【補正対象項目名】００１１
【補正方法】変更
【補正の内容】
【００１１】
また、第３発明に係るオーバロックミシンの糸通し装置は、第２発明において、前記糸通し軸に外嵌又は内嵌されて前記支持部材に固着されており、第３のカム穴及び第４のカム穴を有する糸通し案内部材を有し、前記第１の回動機構は、前記第３のカム穴と、前記糸通し軸に設けてある、前記第３のカム穴に嵌合する第３のカム軸とで構成され、前記第２の回動機構は、前記第４のカム穴と、前記糸誘導部材に設けてある、前記第４のカム穴に嵌合する第４のカム軸とで構成され、前記第３のカム穴の傾斜方向と、前記第４のカム穴の傾斜方向とは反対にしてあり、前記糸通しフックと前記糸誘導部材との間に、前記糸通しフックと前記糸誘導部材とを近接させるよう付勢する第１の付勢部材を備えることを特徴とする。
【手続補正２】
【補正対象書類名】明細書
【補正対象項目名】００１３
【補正方法】変更
【補正の内容】
【００１３】
また、第４発明に係るミシンの糸通し装置は、第３発明において、前記糸通し軸を上下に移動させる操作体を備え、該操作体は、前記糸通し案内部材に連結され、前記糸通し案内部材を上下動させる基材部と、該基材部との間で上糸を挟持する上糸挟持部と、該上糸挟持部を上方へ付勢する第２の付勢部材とを有し、前記上糸挟持部を押し下げた場合、前記基材部と前記上糸挟持部との間に上糸の径より小さい隙間が生じることを特徴とする。
【手続補正３】
【補正対象書類名】明細書
【補正対象項目名】００１４
【補正方法】変更
【補正の内容】
【００１４】
第４発明では、糸通し軸を上下に移動させる操作体を備える。操作者は、操作体を上下動することにより糸通し軸を上下動及び回転させることができ、片手で糸通しを行うことが可能となる。また、操作体の上糸挟持部を第２の付勢部材の付勢力に抗して押し下げた場合に、基材部と上糸挟持部との間に上糸の径より小さい隙間が形成されているので、上糸を適度なテンションで保持することができ、糸誘導部材に掛かっている上糸を、確実に糸通しフックの鉤部で引っ掛けることが可能となる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
装着されている複数の縫針を一括して上下に移動させる針棒に近接し、該針棒の上下動方向と略平行に移動可能であり、前記針棒の上下動方向を回転軸として回転することが可能に支持されている糸通し軸と、
該糸通し軸の下端部に固着され、縫針の針穴に挿通することが可能な鉤部と、該鉤部を針穴に誘導する第１のガイド部とを有する糸通しフックと、
前記糸通し軸の下降限界点近傍で前記鉤部が縫針の針穴に挿通するよう前記糸通しフックを所定角度回動させる第１の回動機構と、
上糸を引っ掛ける糸引っ掛かり部、及び該糸引っ掛かり部に引っ掛けた上糸を縫針の針穴方向へ誘導する第２のガイド部を有し、前記糸通し軸の下降限界点近傍で前記鉤部まで上糸を誘導する糸誘導部材と、
前記糸通し軸の下降限界点近傍で前記糸引っ掛かり部が縫針の位置を越えて縫針と交差するよう前記糸誘導部材を所定角度回動させる第２の回動機構と
を備え、
前記第１の回動機構及び前記第２の回動機構は、前記糸通しフック及び前記糸誘導部材を互いに反対方向に回動させ、
前記糸通し軸は、複数の縫針の針穴間の相対的な位置関係に合わせて移動することを特徴とするオーバロックミシンの糸通し装置。
【請求項２】
前記糸通し軸を支持してオーバロックミシン本体に固着する支持部材に、前記糸通し軸の上部に備える第１のカム軸を嵌合する第１のカム穴及び前記糸通し軸の下部に備える第２のカム軸を嵌合する第２のカム穴で構成された穴カム機構を有し、
前記第１のカム軸の嵌合位置及び前記第２のカム軸の嵌合位置を移動させる操作部材の操作に応じて、前記糸通し軸を移動させることを特徴とする請求項１に記載のオーバロックミシンの糸通し装置。
【請求項３】
前記糸通し軸に外嵌又は内嵌されて前記支持部材に固着されており、第３のカム穴及び第４のカム穴を有する糸通し案内部材を有し、
前記第１の回動機構は、前記第３のカム穴と、前記糸通し軸に設けてある、前記第３のカム穴に嵌合する第３のカム軸とで構成され、
前記第２の回動機構は、前記第４のカム穴と、前記糸誘導部材に設けてある、前記第４のカム穴に嵌合する第４のカム軸とで構成され、
前記第３のカム穴の傾斜方向と、前記第４のカム穴の傾斜方向とは反対にしてあり、
前記糸通しフックと前記糸誘導部材との間に、前記糸通しフックと前記糸誘導部材とを近接させるよう付勢する第１の付勢部材を備えることを特徴とする請求項２に記載のオーバロックミシンの糸通し装置。
【請求項４】
前記糸通し軸を上下に移動させる操作体を備え、
該操作体は、
前記糸通し案内部材に連結され、前記糸通し案内部材を上下動させる基材部と、
該基材部との間で上糸を挟持する上糸挟持部と、
該上糸挟持部を上方へ付勢する第２の付勢部材と
を有し、
前記上糸挟持部を押し下げた場合、前記基材部と前記上糸挟持部との間に上糸の径より小さい隙間が生じることを特徴とする請求項３に記載のオーバロックミシンの糸通し装置。
【国際調査報告】
2013125120.tif 000014
2013125120.tif 000015